(57)【要約】      （修正有）【課題】水を貯留しつつ排出する貯水構造であって、該貯水構造へ供給される水の量が少ない場合であっても貯水構造からの水の排出を効率的に行うことができると共に、供給される水の量が多い場合には、より多くの水を貯留することができる貯水構造を提供する。【解決手段】第一排水部から水が排出される速度は、第一貯水空間の水が第一側壁貫通孔３ｄを通って第二貯水空間へ流出する速度よりも遅くなるように構成されており、第二底部６ｃの面積は、第一底部の面積より広くなるように構成されており、第二排水部から水が排出される速度は、第一側壁貫通孔を通って第一貯水空間から第二貯水空間へ水が流出する速度よりも遅くなるように構成される。【選択図】図９
2019071808.tif 000002
【特許請求の範囲】
【請求項１】
接触した水を所定方向へ集める集水部と、該集水部で集められた水を貯留する貯水部とを備える貯水構造であって、
前記貯水部は、集水部で集められた水が流入して貯留される第一貯水空間を形成する第一貯水部と、該第一貯水空間から流出する水を貯留する第二貯水空間を形成する第二貯水部と、第一貯水空間の水を第一貯水空間の外へ排出する第一排水部と、第二貯水空間の水を第二貯水空間の外へ排出する第二排水部とを備えており、
前記第一貯水部は、上下方向に延びる筒状に形成されて第一貯水空間が内側に形成された第一側壁部と、該第一側壁部の下端側に形成された第一底部と、第一側壁部を貫通すると共に第一貯水空間と第二貯水空間とを連通させる第一側壁貫通孔とを備えると共に、該第一側壁貫通孔よりも下方の位置に第一排水部を備えており、
第一貯水空間の水が第一排水部から排出される速度は、第一貯水空間の水が第一側壁貫通孔を通って第二貯水空間へ流出する速度よりも遅くなるように構成されており、
前記第二貯水部は、上下方向に延びる筒状に形成されて第二貯水空間が内側に形成される第二側壁部と、該第二側壁部の下端側に形成されると共に第一底部よりも面積が広い第二底部とを備えており、
第二貯水空間の水が第二排水部から排出される速度は、第一貯水空間の水が第一側壁貫通孔を通って第二貯水空間へ流出する速度よりも遅くなるように構成される貯水構造。
【請求項２】
前記第一側壁貫通孔は、上下方向に延びるように形成される請求項１に記載の貯水構造。
【請求項３】
前記集水部で収集される水から固形物を分離する固液分離部を更に備えており、
前記第一側壁部は、集水部で収集される水を第一貯水空間へ流入させる側壁開口部を備えており、
前記固液分離部は、側壁開口部を覆うように配置される請求項１又は２に記載の貯水構造。
【請求項４】
前記第一貯水部は、第二貯水部に対して着脱可能に構成される請求項１乃至３の何れか一項に記載の貯水構造。
【請求項５】
前記第一貯水部は、第一貯水空間の水を透過させると共に水から固形物を分離するフィルター部材を第一排水部に備える請求項１乃至４の何れか一項に記載の貯水構造。
【請求項６】
請求項１乃至５の何れか一項に記載の貯水構造が水平方向に複数配列して形成される貯水構造集合形態。
【発明の詳細な説明】
【技術分野】
【０００１】
本発明は、水を貯留する貯水部を備える貯水構造、及び、該貯水構造が複数配列された貯水構造集合形態に関する。
【背景技術】
【０００２】
例えば、建築物の屋上等において、雨水を一時的に貯留する貯水構造を設ける場合がある。斯かる貯水構造としては、雨水を貯留するための貯水部と、植栽が施される植栽部とを備えるものが知られている（特許文献１参照）。該植栽部は、植栽を行う領域に供給された水（植物の育成に必要な水や雨水等）を下方へ排出可能に構成されている。そして、貯水部上に植栽部が載置されることで、例えば、植栽部に降り注いだ雨水が植栽部から貯水部に排出されるよう構成されている。
【先行技術文献】
【特許文献】
【０００３】
【特許文献１】特開２００５−３０４３１０号公報
【発明の概要】
【発明が解決しようとする課題】
【０００４】
ところで、上記のような貯水部において、貯水部の底に貫通孔を設けることで、該貯水部に一定量の雨水を貯留しつつ、貯水部からの雨水の排出を可能にする場合がある。このような場合、上記のような貯水構造では、降水量の多少に関わらず、雨水が貯水部に貯められることになる。このため、降水量が少ない場合、貯水部の底面に雨水が広がってしまうため、貯水部からの雨水の排出を効率的に行うことができない。また、より多くの水を貯留することができる貯留部が要求されている。
【０００５】
そこで、本発明は、水を貯留しつつ排出する貯水構造であって、該貯水構造へ供給される水の量が少ない場合であっても貯水構造からの水の排出を効率的に行うことができるとと共に、供給される水の量が多い場合には、より多くの水を貯留することができる貯水構造を提供することを課題とする。また、斯かる貯水構造を複数備える貯水構造集合形態を提供することを課題とする。
【課題を解決するための手段】
【０００６】
本発明に係る貯水構造は、接触した水を所定方向へ集める集水部と、該集水部で集められた水を貯留する貯水部とを備える貯水構造であって、前記貯水部は、集水部で集められた水が流入して貯留される第一貯水空間を形成する第一貯水部と、該第一貯水空間から流出する水を貯留する第二貯水空間を形成する第二貯水部と、第一貯水空間の水を第一貯水空間の外へ排出する第一排水部と、第二貯水空間の水を第二貯水空間の外へ排出する第二排水部とを備えており、前記第一貯水部は、上下方向に延びる筒状に形成されて第一貯水空間が内側に形成された第一側壁部と、該第一側壁部の下端側に形成された第一底部と、第一側壁部を貫通すると共に第一貯水空間と第二貯水空間とを連通させる第一側壁貫通孔とを備えると共に、該第一側壁貫通孔よりも下方の位置に第一排水部を備えており、第一貯水空間の水が第一排水部から排出される速度は、第一貯水空間の水が第一側壁貫通孔を通って第二貯水空間へ流出する速度よりも遅くなるように構成されており、前記第二貯水部は、上下方向に延びる筒状に形成されて第二貯水空間が内側に形成される第二側壁部と、該第二側壁部の下端側に形成されると共に第一底部よりも面積が広い第二底部とを備えており、第二貯水空間の水が第二排水部から排出される速度は、第一貯水空間の水が第一側壁貫通孔を通って第二貯水空間へ流出する速度よりも遅くなるように構成される。
【０００７】
斯かる構成によれば、第二底部の面積は、第一底部の面積より広くなるように構成される。このため、集水部で収集される水の量が比較的少ない場合（例えば、降水量が少ない場合）であっても、貯水部からの水の排出を効率的に行うことができる。
【０００８】
具体的には、集水部で収集される水の量が比較的少ない場合（例えば、降水量が少ない場合）、仮に、その水が第二貯水空間へ流入すると、第二底部の面積が比較的広いため、水が広範囲に広がることになる。このため、第二貯水部（第二貯水空間）からの水の排出を効率的に行うことができない。
【０００９】
一方、集水部で収集される水が第一貯水空間へ流入することで、流入する水の量が比較的少ない場合であっても、第一底部の面積が比較的狭いため、水が広範囲に広がることがない。これにより、第一貯水部からの水の排出を効率的に行うことができる。つまり、集水部で収集される水が第一貯水空間へ貯留されることで、集水部で収集される水の量が少ない場合であっても貯水構造からの水の排出を効率的に行うことができる。
【００１０】
また、第一排水部から排出される水の速度は、第一貯水空間の水が第一側壁貫通孔を通って第二貯水空間へ流出する速度よりも遅くなるように構成され、第二排水部から排出される水の速度は、第一貯水空間の水が第一側壁貫通孔を通って第二貯水空間へ流出する速度よりも遅くなるように構成される。
【００１１】
これにより、集水部で収集される水の量が比較的多い場合（例えば、降水量が多い場合）には、第一貯水空間に水が貯留されて第一貯水空間の水位が上昇する。そして、第一貯水空間の水位が第一側壁貫通孔の下端部を超えることで、第一貯水空間の水が第一側壁貫通孔を通って第二貯水空間へ流出し、該水が第二貯水空間で貯留されることになる。これにより、第一貯水空間と第二貯水空間とにおいて水を貯留することができるため、第一貯水空間のみ、又は、第二貯水空間のみで水を貯留する場合よりも多くの水を貯留することができる。
【００１２】
前記第一側壁貫通孔は、上下方向に延びるように形成されることが好ましい。
【００１３】
斯かる構成によれば、第一側壁貫通孔が上下方向に延びるように形成されることで、第一貯水空間の水位が第一側壁貫通孔の下端部を超えて上昇した際にも、第一貯水空間の水を第一側壁貫通孔を通して第二貯水空間へ効率的に流出させることができる。
【００１４】
前記集水部で収集される水から固形物を分離する固液分離部を更に備えており、前記第一側壁部は、集水部で収集される水を第一貯水空間へ流入させる側壁開口部を備えており、前記固液分離部は、側壁開口部を覆うように配置されることが好ましい。
【００１５】
斯かる構成によれば、上記のような固液分離部を備えることで、側壁開口部から第一貯水空間へ固形物（例えば、落ち葉や石など）が意図せずに侵入してしまうのを防止することができる。
【００１６】
前記第一貯水部は、第二貯水部に対して着脱可能に構成されることが好ましい。
【００１７】
斯かる構成によれば、第一貯水部は、第二貯水部に対して着脱可能に構成される。これにより、第一貯水部を第二貯水部から取り外すことができるため、第一貯水部を洗浄したり、交換したりする作業を容易に行うことができる。
【００１８】
前記第一貯水部は、第一貯水空間の水を透過させると共に水から固形物を分離するフィルター部材を第一排水部に備えることが好ましい。
【００１９】
斯かる構成によれば、フィルター部材を第一排水部に備えることで、第一貯水空間へ侵入した固形物が意図せずに第一貯水空間の外側へ排出されるのを防止することができると共に、フィルター部材の抵抗によって第一貯水部から排出される水の量を調節することができる。
【００２０】
本発明に係る貯水構造集合形態は、上記何れかの貯水構造が水平方向に複数配列して形成される。
【発明の効果】
【００２１】
以上のように、本発明によれば、貯水構造へ供給される水の量が少ない場合であっても貯水構造からの水の排出を効率的に行うことができるとと共に、供給される水の量が多い場合には、より多くの水を貯留することができる。
【図面の簡単な説明】
【００２２】
【図１】（ａ）は、本発明の一実施形態に係る貯水構造で使用される植栽部材を上方から見た図、（ｂ）は、（ａ）のＩ−Ｉ断面図。
【図２】（ａ）は、同一実施形態に係る貯水構造で使用される集水部材を上方から見た図、（ｂ）は、（ａ）のII−II断面図、（ｃ）は、（ａ）のIII−III断面図。
【図３】同一実施形態に係る貯水構造で使用される第一貯水部材に固液分離部材と着脱部材とが取り付けられた状態を水平方向から見た図。
【図４】同一実施形態に係る貯水構造で使用される第一貯水部材の上下方向に沿った断面図。
【図５】（ａ）は、同一実施形態に係る貯水構造で使用される固液分離部材を上方から見た図、（ｂ）は、同じ固液分離部材を水平方向から見た図。
【図６】（ａ）は、同一実施形態に係る貯水構造で使用される着脱部材を水平方向から見た図、（ｂ）は、同じ着脱部材を上方から見た図。
【図７】同一実施形態に係る貯水構造で使用される第二貯水部材を上方から見た図。
【図８】図７のIV−IV断面図。
【図９】同一実施形態に係る貯水構造の上下方向に沿った断面図。
【図１０】同一実施形態に係る貯水構造の上下方向に沿った断面図であって第一貯水部材の下端部近傍を示した図。
【図１１】同一実施形態に係る貯水構造の貯水部が備える第二排水部の近傍を示した図。
【発明を実施するための形態】
【００２３】
以下、本発明の実施形態について図１〜９を参照しながら説明する。なお、以下の図面において同一または相当する部分には同一の参照符号を付しその説明は繰り返さない。
【００２４】
本発明に係る貯水構造は、接触した水を所定方向へ集める集水部と、該集水部で集められた水を貯留する貯水部とを備える。また、該貯水部は、該集水部で集められた水が流入して貯留される第一貯水部と、該第一貯水部から流出する水を貯留する第二貯水部とを備える。本実施形態では、貯水構造は、植栽が施される植栽部を更に備える。
【００２５】
前記植栽部としては、特に限定されるものではないが、例えば、図１（ａ）及び図１（ｂ）に示すように、植栽が施される植栽部材１ａを用いて構成される植栽部１が挙げられる。植栽部材１ａは、植栽を行う凹状部１ｂと、該凹状部１ｂから外側へ延出する延出部１ｃと、凹状部１ｂの内側に形成された筒状部１ｄとを備える。前記凹状部１ｂは、環状に形成された底部１ｅと、該底部１ｅの外周部から上方へ起立するように形成された側壁部１ｆと、底部１ｅの内周部から上方へ起立するように形成された内壁部１ｇとを備える。そして、底部１ｅと側壁部１ｆと内壁部１ｇとで囲まれた空間に土壌を敷き詰めて植物を植えることで植栽が行われる。
【００２６】
底部１ｅは、凹状部１ｂ内の水を凹状部１ｂの外側へ排出する排水孔１ｈを複数備える。側壁部１ｆは、下端部が底部１ｅの外周端部に連結され、上端部が延出部１ｃに連結される。内壁部１ｇは、筒状部１ｄから構成される。具体的には、筒状部１ｄは、軸線方向が上下方向になるように形成され、下端部が底部１ｅの内周端部に連結されることで、内壁部１ｇを構成する。また、筒状部１ｄは、上下方向の両端部に開口部１ｉ，１ｉを備える。つまり、筒状部１ｄは、下側に形成される開口部１ｉが底部１ｅの外周端部に連結される。そして、筒状部１ｄによって、植栽部材１ａを上下方向に貫通する貫通孔１ｊが植栽部材１ａに形成される。
【００２７】
前記集水部としては、特に限定されるものではないが、例えば、図２（ａ）〜図２（ｃ）に示すように、接触した水を所定方向へ集める集水部材２ａを用いて構成される集水部２が挙げられる。集水部材２ａは、板状に形成された集水本体部２ｂを備える。また、集水部材２ａは、集水本体部２ｂを上下方向に貫通する集水貫通孔２ｃを備える。該集水貫通孔２ｃは、集水本体部２ｂの中央部に形成される。
【００２８】
また、集水部材２ａ（集水本体部２ｂ）は、集水貫通孔２ｃから離れるに従って（具体的には、集水部材２ａの外側へ向かって）集水貫通孔２ｃよりも高さが高くなるように傾斜した集水傾斜部２ｄを備える。該集水傾斜部２ｄは、集水本体部２ｂの中央部（具体的には、集水貫通孔２ｃ）から集水本体部２ｂの外周端部へ向かって高さが高くなるように形成される。つまり、集水貫通孔２ｃは、集水本体部２ｂにおける高さの最も低い位置に形成される。
【００２９】
また、集水部材２ａは、集水本体部２ｂの外周端部よりも内側の領域に、集水傾斜部２ｄから上方へ突出するように形成された内側突出部２ｅを備える。該内側突出部２ｅは、集水本体部２ｂにおける集水貫通孔２ｃを備える領域の周囲に複数形成される。具体的には、内側突出部２ｅは、集水本体部２ｂにおける集水貫通孔２ｃを備える領域を中心に対称となる位置に複数形成される。また、内側突出部２ｅは、集水本体部２ｂにおける集水貫通孔２ｃを備える領域から集水本体部２ｂの外周端部へ向かって長手となるように形成される。
【００３０】
また、内側突出部２ｅは、前記植栽部１（植栽部材１ａ）で植栽される植物を挿通可能に構成された植物挿通部２ｆを備える。該植物挿通部２ｆは、内側突出部２ｅの上端部に形成される。また、植物挿通部２ｆは、内側突出部２ｅを上端部を厚み方向に貫通ように形成される。また、植物挿通部２ｆは、集水本体部２ｂの中央側から外周端部側へ向かって長手となる線状（スリット状）に形成される。
【００３１】
そして、植栽部材１ａの凹状部１ｂ内に土壌を収容して植栽が行われる。植栽用の植物は、集水部材２ａの植物挿通部２ｆに挿通されることで、凹状部１ｂで植栽された状態で集水部材２ａの上方へ露出させることができる。
【００３２】
前記第一貯水部としては、特に限定されるものではないが、例えば、図３に示すように、前記集水部材２ａで集められた水が流入して貯留される第一貯水部材３ａを用いて構成される第一貯水部３が挙げられる。本実施形態では、第一貯水部材３ａには、前記集水部材２ａで収集される水から固形物を分離する固液分離部材４ａが取り付けられる。また、本実施形態では、第一貯水部材３ａには、該第一貯水部材３ａを後述する第二貯水部材６ａに対して着脱可能にする着脱部材５ａが取り付けられる。
【００３３】
前記第一貯水部材３ａは、図３，４に示すように、前記集水部材２ａで集められた水が流入して貯留される第一貯水空間Ｒ１を形成する。また、第一貯水部材３ａは、上下方向に延びる筒状に形成されて第一貯水空間Ｒ１が内側に形成された第一側壁部３ｂと、該第一側壁部３ｂの下端側に形成された第一底部３ｃと、第一側壁部３ｂを貫通する第一側壁貫通孔３ｄと、該第一側壁貫通孔３ｄよりも下方の位置から第一貯水空間Ｒ１の外へ第一貯水空間Ｒ１の水を排出する第一排水部３ｅとを備える。
【００３４】
また、第一貯水部材３ａは、集水部材２ａから第一貯水空間Ｒ１へ水を流入させるべく第一側壁部３ｂに形成された側壁開口部３ｆを備える。該側壁開口部３ｆは、第一貯水空間Ｒ１を上方へ開放するべく第一側壁部３ｂの上端部に形成される。そして、第一側壁部３ｂと第一底部３ｃとで囲まれた空間に、集水部材２ａで集められた水を貯留する第一貯水空間Ｒ１が形成される。
【００３５】
第一側壁貫通孔３ｄは、第一底部３ｃから上方へ離間した位置に少なくとも一つ形成される。本実施形態では、第一側壁部３ｂの軸線周りに複数の第一側壁貫通孔３ｄが形成される。また、第一側壁貫通孔３ｄは、上下方向に延びるように形成される。なお、本実施形態では、第一貯水部材３ａは、第一側壁部３ｂにおける第一側壁貫通孔３ｄよりも下方の位置に、第一側壁部３ｂを貫通する下方側側壁貫通孔３ｇを備える。該下方側側壁貫通孔３ｇは、第一側壁部３ｂの軸線周りに複数形成される。
【００３６】
また、第一側壁部３ｂは、下端部が切り欠かれて形成された第一側壁切欠部３ｉを少なくとも一つ（本実施形態では、軸線周りに複数）備える。該第一側壁切欠部３ｉは、第一底部３ｃよりも下方に形成される。そして、第一側壁切欠部３ｉが形成されることで、第一側壁部３ｂの下端部において第一側壁部３ｂの内側の空間が外側へ連通するように構成される。
【００３７】
前記第一底部３ｃは、第一側壁部３ｂの下端から上方に離間した位置（具体的には、第一側壁切欠部３ｉよりも上方）に形成される。また、第一底部３ｃは、第一側壁貫通孔３ｄ（具体的には、下方側側壁貫通孔３ｇ）よりも下方に形成される。また、第一底部３ｃは、第一貯水空間Ｒ１に貯留された水を第一貯水空間Ｒ１の外へ排出する第一排水部３ｅを備える。該第一排水部３ｅは、第一底部３ｃを上下方向に貫通する少なくとも一つ（本実施形態では、複数の）貫通孔から構成される。また、第一排水部３ｅから水が排出される速度は、第一貯水空間Ｒ１の水が第一側壁貫通孔３ｄを通って第二貯水空間Ｒ２へ流出する速度よりも遅くなるように構成される。
【００３８】
固液分離部４は、図３，５に示すように、第一貯水部材３ａに対して着脱可能に構成された固液分離部材４ａから構成される。該固液分離部材４ａは、上方へ開放するように凹状に形成された少なくとも一つ（本実施形態では、複数）の固液分離本体部４ｂと、該固液分離本体部４ｂの上端部から固液分離本体部４ｂの外側へ延出する固液分離フランジ部４ｃとを備える。また、固液分離部材４ａは、固液分離本体部４ｂを貫通し、固液分離本体部４ｂの内側と外側とを連通させる少なくとも一つ（本実施形態では、複数）の固液分離貫通孔４ｄを備える。該固液分離貫通孔４ｄは、上下方向に延びるように形成される。
【００３９】
また、固液分離部材４ａは、第一側壁部３ｂの側壁開口部３ｆを覆うように、第一貯水部材３ａに取り付けられる。具体的には、固液分離本体部４ｂが側壁開口部３ｆから第一側壁部３ｂの内側に収容されると共に、固液分離フランジ部４ｃが側壁開口部３ｆに上方から当接する（載置される）ように配置される。また、固液分離部材４ａは、固液分離本体部４ｂが第一側壁部３ｂの上端部と螺合するように構成される。これにより、固液分離部材４ａと第一貯水部材３ａとが着脱可能に構成される。
【００４０】
着脱部５は、図３，６に示すように、第一貯水部材３ａと着脱可能に構成された着脱部材５ａから構成される。該着脱部材５ａは、上下方向に延びる筒状に形成された着脱本体部５ｂと、該着脱本体部５ｂの下端部から着脱部５の外側へ延出する着脱フランジ部５ｃとを備える。着脱本体部５ｂは、上端側から、第一側壁部３ｂの下端部（具体的には、第一側壁切欠部３ｉと下方側側壁貫通孔３ｇとを含む領域）を収容可能に構成される。そして、着脱本体部５ｂは、第一側壁部３ｂの下端部と螺合するように構成される。これにより、第一貯水部材３ａと着脱部材５ａとが着脱可能に構成される。また、着脱本体部５ｂは、内側の空間を外側へ開放する着脱本体部貫通孔５ｄを少なくとも一つ（本実施形態では、着脱本体部５ｂの軸線周りに複数）備える。
【００４１】
着脱フランジ部５ｃは、着脱本体部５ｂの内側の空間を外側へ連通させるように、下面が溝状に形成された着脱フランジ溝部５ｅを少なくとも一つ（本実施形態では、着脱本体部５ｂの軸線周りに複数）備える。また、着脱部材５ａは、後述する第二貯水部材６ａと前記軸線周りに掛合する回転方向掛合部５ｇを備える。具体的には、着脱部材５ａは、着脱フランジ部５ｃから上方へ突出した着脱フランジ突出部５ｆを少なくとも一つ（本実施形態では、着脱本体部５ｂの軸線周りに複数）備え、該着脱フランジ突出部５ｆが後述する第二貯水部材６ａと前記軸線周りに掛合するように構成される。また、着脱部材５ａは、着脱フランジ部５ｃが後述する第二貯水部材６ａと上方へ向かって掛合するように構成される。つまり、着脱フランジ部５ｃは、第二貯水部材６ａと上下方向で掛合する上下方向掛合部５ｈを構成する。
【００４２】
前記第二貯水部としては、特に限定されるものではないが、例えば、図７，８に示すように、第一貯水部３から流出する水を貯留する第二貯水部材６ａを用いて構成される第二貯水部６が挙げられる。第二貯水部材６ａは、第一貯水部３から流出する水を貯留する第二貯水空間Ｒ２を形成する。また、第二貯水部材６ａは、上下方向に延びる筒状に形成されて第二貯水空間Ｒ２が内側に形成される第二側壁部６ｂと、該第二側壁部６ｂの下端側に形成された第二底部６ｃとを備える。該第二底部６ｃは、第一貯水部材３ａが備える第一底部３ｃよりも面積が広くなるように形成される。
【００４３】
また、第二底部６ｃは、上下方向に交差する方向（具体的には、水平方向）に広がる第二底部本体６ｎと、該第二底部本体６ｎから第二貯水空間Ｒ２側へ突出する環状突出部６ｐとを備える。第二底部本体６ｎは、第二底部本体６ｎを上下方向に貫通する第二底部貫通孔６ｅを備える。該第二底部貫通孔６ｅは、上下方向に沿った内周面のうち、上側の領域（以下、上側内周面とも記す）６ｆよりも下端の領域（以下、下側内周面とも記す）６ｇの方が第二底部６ｃの外周部側に位置するように形成される。
【００４４】
環状突出部６ｐは、第二底部貫通孔６ｅの上端部を囲むように形成される。また、環状突出部６ｐは、環状突出部６ｐの内側の空間を上下方向に交差する方向（具体的には、水平方向）へ開放する第二底部切欠部６ｑを複数備える。
【００４５】
また、第二貯水部材６ａは、第二底部貫通孔６ｅの内側の空間を第二貯水部材６ａの外側の空間に連通させる溝状の第二底部溝６ｈを少なくとも一つ（本実施形態では、第二側壁部の軸線周りに複数）備える。該第二底部溝６ｈは、第二底部６ｃの下面に下方へ向けて開放する凹状に形成される。また、第二底部溝６ｈは、第二底部貫通孔６ｅ（具体的には、下側内周面６ｇ）から第二底部６ｃの端縁に達するように形成される。
【００４６】
第二貯水部材６ａ（具体的には、第二底部６ｃ）は、着脱部材５ａ（具体的には、着脱フランジ部５ｃ）と上下方向で掛合する上下方向掛合部６ｋを備える。具体的には、第二底部貫通孔６ｅは、下方から着脱部材５ａを収容可能に構成される。また、第二底部貫通孔６ｅは、下側内周面６ｇの上端部から内側へ突出する貫通孔内突出部６ｉを備える。該貫通孔内突出部６ｉは、第二底部貫通孔６ｅの下方から第二底部貫通孔６ｅに着脱部材５ａが収容された際に、着脱部材５ａ（具体的には、着脱フランジ部５ｃ）が下方から当接可能に構成される。これにより、第二貯水部材６ａ（具体的には、第二底部６ｃ）は、着脱部材５ａ（具体的には、着脱フランジ部５ｃ）が上方へ向かって掛合可能に構成される。つまり、本実施形態では、貫通孔内突出部６ｉによって上下方向掛合部６ｋが構成される。
【００４７】
また、第二底部６ｃは、上下方向に延びる軸線を中心とする回転方向において、着脱部材５ａ（具体的には、着脱フランジ部５ｃ）と掛合する回転方向掛合部６ｍを備える。具体的には、第二底部６ｃは、着脱部材５ａ（具体的には、着脱フランジ部５ｃ）が備える着脱フランジ突出部５ｆを下方から上方へ向けて挿入可能な掛合孔６ｊを第二底部貫通孔６ｅ内に備える。そして、第二底部貫通孔６ｅの下方から第二底部貫通孔６ｅに着脱部材５ａが収容された際に、着脱フランジ突出部５ｆが掛合孔６ｊに挿入されることで、第二貯水部材６ａ（具体的には、第二底部６ｃ）は、前記回転方向において着脱部材５ａ（具体的には、着脱フランジ部５ｃ）と掛合可能に構成される。つまり、本実施形態では、掛合孔６ｊによって回転方向掛合部６ｍが構成される。
【００４８】
そして、上記のように構成される各部材を組み合わせることで、図９に示すような貯水構造１０が形成される。具体的には、まず初めに、着脱部材５ａを第二底部貫通孔６ｅに下方から挿入して収容する。この際、貫通孔内突出部６ｉの下方から該貫通孔内突出部６ｉに着脱フランジ部５ｃが当接する。これにより、着脱部材５ａが第二貯水部材６ａ（第二底部６ｃ）に上方へ向かって掛合した状態になる。また、着脱フランジ突出部５ｆが掛合孔６ｊに挿入される。これにより、着脱部材５ａと第二貯水部材６ａ（第二底部６ｃ）とが前記回転方向において掛合した状態になる。
【００４９】
次に、第一貯水部材３ａを第二貯水部材６ａの内側（第二側壁部６ｂの内側）に配置する。これにより、集水部材２ａで集められた水を貯留する貯水部１０ａが形成され、第一貯水空間Ｒ１と第二貯水空間Ｒ２とが第一側壁貫通孔３ｄを介して連通した状態になる。また、貯水部１０ａが形成される際には、第一貯水部材３ａは、図１０に示すように、第一底部３ｃ側の端部（下端部）が着脱部材５ａの着脱本体部５ｂに挿入されて螺合される。この際、着脱部材５ａと第二貯水部材６ａ（第二底部６ｃ）とが前記回転方向において掛合した状態であるため、第一貯水部材３ａを着脱本体部５ｂに螺合する作業を容易に行うことができる。また、第一側壁切欠部３ｉと、着脱フランジ溝部５ｅと、第二底部貫通孔６ｅと、第二底部溝６ｈとが連通するように配置される。これにより、図１０の矢印で示すように、第一貯水部材３ａの内側（第一貯水空間Ｒ１）から貯水構造１０の外側へ連なる水の排水経路Ｘが形成される。
【００５０】
また、図９，１１に示すように、下方側側壁貫通孔３ｇと、着脱本体部貫通孔５ｄとは、環状突出部６ｐの内側に配置される。また、下方側側壁貫通孔３ｇと、着脱本体部貫通孔５ｄと、第二底部切欠部６ｑとが重なるように配置される。これにより、下方側側壁貫通孔３ｇと、着脱本体部貫通孔５ｄと、第二底部切欠部６ｑとを介して第一貯水空間Ｒ１と第二貯水空間Ｒ２とが連通した状態となるため、第二貯水空間Ｒ２の水を第二貯水空間Ｒ２の外（具体的には、第一貯水空間Ｒ１）へ排出する第二排水部６ｄが形成される。第二貯水空間Ｒ２の水が第二排水部６ｄから排出される速度は、第一貯水空間Ｒ１の水が第一側壁貫通孔３ｄを通って第二貯水空間Ｒ２へ流出する速度よりも遅くなるように構成される。また、図１０に示すように、第一側壁貫通孔３ｄを介して第一貯水空間Ｒ１と第二貯水空間Ｒ２とが連通した状態となる。
【００５１】
次に、第二貯水部材６ａの上に植栽部材１ａを配置する。この際、植栽部材１ａの筒状部１ｄの内側に、第一貯水部材３ａの上端側の部分が配置される。更に、植栽部材１ａの上に集水部材２ａを配置する。この際、集水貫通孔２ｃの内側に第一貯水部材３ａの側壁開口部３ｆが配置される。そして、該側壁開口部３ｆから固液分離部材４ａの固液分離本体部４ｂを挿入して第一貯水部材３ａに収容する。この際、固液分離フランジ部４ｃは、第一側壁部３ｂの上端部に当接すると共に、集水部材２ａにおける集水貫通孔２ｃの周囲に当接する。
【００５２】
上記のように構成される貯水構造１０は、建築物の屋上等に複数配列されて貯水構造１０の集合形態として使用することができる。斯かる貯水構造１０を使用することで、例えば、貯水構造１０の上に雨が降った際に、一次的に雨水を貯留することができる。具体的には、貯水構造１０の上に雨が降った場合、集水部材２ａに雨水が接触し、該雨水が集水傾斜部２ｄの傾斜によって集水貫通孔２ｃ側へ集められる。集められた雨水は、固液分離部材４ａの固液分離本体部４ｂに流入し、固液分離貫通孔４ｄを透過することで、固形物が分離されると共に、第一貯水部材３ａの第一貯水空間Ｒ１へ流入する。
【００５３】
ここで、第一貯水空間Ｒ１へ流入する水の量が少ない場合（例えば、降水量が少ない場合）、第一貯水空間Ｒ１へ流入した水は、図１０に示すように、第一排水部３ｅを通って第一底部３ｃの下の空間に入り、該空間から水の排水経路Ｘを通って貯水構造１０の外側へ排出される。一方、第一貯水空間Ｒ１へ流入する水の量が多い場合（例えば、降水量が多い場合）、第一貯水空間Ｒ１へ流入した水は、一部が上述のように水の排水経路Ｘから排出されると共に、残部が第一貯水空間Ｒ１に貯留される。これにより、第一貯水空間Ｒ１の水位が上昇し、該水位が第一側壁貫通孔３ｄの下端部に達することで、第一貯水空間Ｒ１の水が第一側壁貫通孔３ｄを通って第二貯水部材６ａ内（第二貯水空間Ｒ２）へ流出する。
【００５４】
第一貯水空間Ｒ１から第二貯水空間Ｒ２へ流出した水は、第二貯水空間Ｒ２に貯留される。これにより、第二貯水空間Ｒ２の水位が上昇する。そして、該水位が第一側壁貫通孔３ｄの下端部に達することで、第一貯水空間Ｒ１から第二貯水空間Ｒ２への水の流出が実質的に停止し、第一貯水空間Ｒ１の水位と第二貯水空間Ｒ２の水位とが同じ高さ位置で上昇する。その後、第一貯水空間Ｒ１への水の流入が停止した際（降水量がゼロになった際）にも、水の排水経路Ｘによる水の排水が継続される。これにより、第一貯水空間Ｒ１の水は、第一排水部３ｅから水の排水経路Ｘを通って貯水部１０ａの外へ排出されると共に、第二貯水空間Ｒ２の水は、第一側壁貫通孔３ｄを通って第一貯水空間Ｒ１へ流入し、第一排水部３ｅから水の排水経路Ｘを通って貯水部１０ａの外へ排出される。更に、第二貯水空間Ｒ２の水位が第一側壁貫通孔３ｄの下端部を下回った際にも、第二貯水空間Ｒ２の水は、第二排水部６ｄを通って第一貯水空間Ｒ１へ流入し、第一排水部３ｅから水の排水経路Ｘを通って貯水部１０ａの外へ排出される。これにより、第一貯水空間Ｒ１の水及び第二貯水空間Ｒ２の水が略排出される。
【００５５】
以上のように、本発明に係る貯水構造、及び、貯水構造集合形態は、貯水構造へ供給される水の量が少ない場合であっても貯水構造からの水の排出を効率的に行うことができると共に、供給される水の量が多い場合には、より多くの水を貯留することができる。
【００５６】
即ち、第二底部６ｃの面積は、第一底部３ｃの面積より広くなるように構成される。このため、集水部材２ａで収集される水の量が比較的少ない場合（例えば、降水量が少ない場合）であっても、貯水部１０ａからの水の排出を効率的に行うことができる。
【００５７】
具体的には、集水部２ａで収集される水の量が比較的少ない場合（例えば、降水量が少ない場合）、仮に、その水が第二貯水空間Ｒ２へ流入すると、第二底部６ｃの面積が比較的広いため、水が広範囲に広がることになる。このため、第二貯水部材６ａからの水の排出を効率的に行うことができない。
【００５８】
一方、集水部材２ａで収集される水が第一貯水空間Ｒ１へ流入することで、流入する水の量が比較的少ない場合であっても、第一底部３ｃの面積が比較的狭いため、水が広範囲に広がることがない。これにより、第一貯水部材３ａからの水の排出を効率的に行うことができる。つまり、集水部材２ａで収集される水が第一貯水空間Ｒ１へ貯留されることで、集水部材２ａで収集される水の量が少ない場合であっても貯水構造１０からの水の排出を効率的に行うことができる。
【００５９】
また、第一排水部３ｅから排出される水の速度は、第一貯水空間Ｒ１の水が第一側壁貫通孔３ｄを通って第二貯水空間Ｒ２へ流出する速度よりも遅くなるように構成され、第二排水部６ｄから排出される水の速度は、第一貯水空間Ｒ１の水が第一側壁貫通孔３ｄを通って第二貯水空間Ｒ２へ流出する水の速度よりも遅くなるように構成される。
【００６０】
これにより、集水部材２ａで収集される水の量が比較的多い場合（例えば、降水量が多い場合）には、第一貯水空間Ｒ１に水が貯留されて水位が上昇する。そして、第一貯水空間Ｒ１の水位が第一側壁貫通孔３ｄの下端部を超えることで、該第一側壁貫通孔３ｄを通って第一貯水空間Ｒ１から第二貯水空間Ｒ２へ水が排出され、該水が第二貯水空間Ｒ２で貯留されることになる。これにより、第一貯水空間Ｒ１と第二貯水空間Ｒ２とにおいて水を貯留することができるため、第一貯水空間Ｒ１のみ、又は、第二貯水空間Ｒ２のみで水を貯留する場合よりも多くの水を貯留することができる。
【００６１】
また、第一側壁貫通孔３ｄが上下方向に延びるように形成されることで、第一貯水空間Ｒ１の水位が第一側壁貫通孔３ｄの下端部を超えて上昇した際にも、第一側壁貫通孔３ｄを通して第一貯水空間Ｒ１から第二貯水空間Ｒ２へ、水を効率的に排出することができる。
【００６２】
また、上記のような固液分離部を備えることで、側壁開口部から第一貯水空間Ｒ１へ固形物（例えば、落ち葉や石など）が意図せずに侵入してしまうのを防止することができる。
【００６３】
また、第一貯水部材３ａは、第二貯水部材６ａに対して着脱可能に構成される。これにより、第一貯水部材３ａを第二貯水部材６ａから取り外すことができるため、第一貯水部材３ａを洗浄したり、交換したりする作業を容易に行うことができる。
【００６４】
なお、本発明に係る貯水構造、及び、貯水構造集合形態は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、他の各種の変更例に係る構成や方法等を任意に選択して、上記した実施形態に係る構成や方法等に採用してもよいことは勿論である。
【００６５】
例えば、上記実施形態では、貯水構造１０は、植栽部１と、集水部２と、第一貯水部３と、第二貯水部６とが別々の部材によって（具体的には、植栽部材１ａと、集水部材２ａと、第一貯水部材３ａと、第二貯水部材６ａとによって）構成されているが、これに限定されるものではなく、例えば、植栽部１と、集水部２と、第一貯水部３と、第二貯水部６とが一体的に形成されたものであってもよい。
【００６６】
上記実施形態では、第一排水部３ｅは、第一底部３ｃを貫通する貫通孔から構成されているが、これに限定されるものではなく、第一貯水空間の水を透過させると共に水から固形物を分離するフィルター部材を更に備えてもよい。具体的には、該フィルター材が第一排水部３ｅを構成する貫通孔を塞ぐように配置されることで、第一排水部３ｅが構成されてもよい。
【００６７】
斯かる構成によれば、フィルター部材を第一排水部３ｅに備えることで、第一貯水空間Ｒ１へ侵入した固形物が意図せずに第一貯水空間Ｒ１の外側へ排出されるのを防止することができると共に、フィルター部材の抵抗によって第一貯水空間Ｒ１から排出される水の量を調節することができる。フィルター材としては、特に限定されるものではなく、例えば、管状に形成されたものや、棒状に形成された吸水材（例えば、ポリオレフィン系繊維やポリエステル系繊維の束を成形したもの等）を用いることができる。
【００６８】
また、上記実施形態では、第一排水部３ｅは、第一底部３ｃに形成されているが、これに限定されるものではなく、第一側壁貫通孔３ｄよりも下方の位置であれば、例えば、第一側壁部３ｂに形成されてもよい。
【００６９】
また、上記実施形態では、下方側側壁貫通孔３ｇと、着脱本体部貫通孔５ｄと、第二底部切欠部６ｑとが重なるように配置されることで第二排水部６ｄが形成され、第二貯水空間Ｒ２の水は、該第二排水部６ｄを介して第一貯水空間Ｒ１に流入し、第一排水部３ｅから排出されるように構成されているが、これに限定されるものではなく、例えば、第二側壁部６ｂ、及び／又は、第二底部本体６ｎを貫通する貫通孔（第二底部貫通孔６ｅとは別の貫通孔）を設け、該貫通孔を第二排水部６ｄとして、第二貯水空間Ｒ２の水が排出されるように構成してもよい。斯かる場合には、第二貯水空間Ｒ２の水は、第二貯水材６ａに形成される第二排水部６ｄから直接貯水部１０ａの外へ排出されることになる。
【００７０】
また、上記実施形態では、第一貯水部材３ａは、第二貯水部材６ａの内側（第二側壁部６ｂの内側）に配置されているが、これに限定されるものではなく、例えば、第一貯水部材３ａが第二貯水部材６ａの外側（第二貯水空間Ｒ２の外側）に配置されてもよい。
【符号の説明】
【００７１】
１…植栽部、１ａ…植栽部材、１ｂ…凹状部、１ｃ…延出部、１ｄ…筒状部、１ｅ…底部、１ｆ…側壁部、１ｇ…内壁部、１ｈ…排水孔、１ｉ…開口部、１ｊ…貫通孔、２…集水部、２ａ…集水部材、２ｂ…集水本体部、２ｃ…集水貫通孔、２ｄ…集水傾斜部、２ｅ…内側突出部、２ｆ…植物挿通部、３…第一貯水部、３ａ…第一貯水部材、３ｂ…第一側壁部、３ｃ…第一底部、３ｄ…第一側壁貫通孔、３ｅ…第一排水部、３ｆ…側壁開口部、３ｇ…下方側側壁貫通孔、３ｉ…第一側壁切欠部、４…固液分離部、４ａ…固液分離部材、４ｂ…固液分離本体部、４ｃ…固液分離フランジ部、４ｄ…固液分離貫通孔、５…着脱部、５ａ…着脱部材、５ｂ…着脱本体部、５ｃ…着脱フランジ部、５ｄ…着脱本体部貫通孔、５ｅ…着脱フランジ溝部、５ｆ…着脱フランジ突出部、５ｇ…回転方向掛合部、５ｈ…上下方向掛合部、６…第二貯水部、６ａ…第二貯水部材、６ｂ…第二側壁部、６ｃ…第二底部、６ｄ…第二排水部、６ｅ…第二底部貫通孔、６ｈ…第二底部溝、６ｉ…貫通孔内突出部、６ｊ…掛合孔、６ｋ…上下方向掛合部、６ｍ…回転方向掛合部、１０…貯水構造、Ｒ１…第一貯水空間、Ｒ２…第二貯水空間、Ｘ…水の排水経路
【図１】
2019071808.tif 000003
【図２】
2019071808.tif 000004
【図３】
2019071808.tif 000005
【図４】
2019071808.tif 000006
【図５】
2019071808.tif 000007
【図６】
2019071808.tif 000008
【図７】
2019071808.tif 000009
【図８】
2019071808.tif 000010
【図９】
2019071808.tif 000011
【図１０】
2019071808.tif 000012
【図１１】
2019071808.tif 000013
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
接触した水を所定方向へ集める集水部と、該集水部で集められた水を貯留する貯水部とを備える貯水構造であって、
前記集水部は、集水部を上下方向に貫通するように形成された集水貫通孔と、該集水貫通孔から集水部の外側へ向かって集水貫通孔から離れるに従って集水貫通孔よりも高さが高くなるように形成された集水傾斜部とを備えると共に、貯水部の上方に配置されており、
前記貯水部は、集水部で集められた水が流入して貯留される第一貯水空間を形成する第一貯水部と、該第一貯水空間から流出する水を貯留する第二貯水空間を形成する第二貯水部と、第一貯水空間の水を第一貯水空間の外へ排出する第一排水部と、第二貯水空間の水を第二貯水空間の外へ排出する第二排水部とを備えており、
前記第一貯水部は、上下方向に延びる筒状に形成されて第一貯水空間が内側に形成されると共に該第一貯水空間を上方へ開放する側壁開口部を上端部に備えた第一側壁部と、該第一側壁部の下端側に形成された第一底部と、第一側壁部を貫通すると共に第一貯水空間と第二貯水空間とを連通させる第一側壁貫通孔とを備え、且つ、該第一側壁貫通孔よりも下方の位置に第一排水部を備えており、
前記第二貯水部は、上下方向に延びる筒状に形成されて第二貯水空間が内側に形成される第二側壁部と、該第二側壁部の下端側に形成されると共に第一底部よりも面積が広い第二底部とを備えており、
第二側壁部の内側に第一側壁貫通孔が配置されており、
上下方向に沿って集水部を見た際に集水貫通孔の内側に第一貯水部の側壁開口部が位置し、集水貫通孔、及び、側壁開口部を介して第一貯水空間に水が流入するように構成されており、
第一貯水空間の水が第一排水部から排出される速度は、第一貯水空間の水が第一側壁貫通孔を通って第二貯水空間へ流出する速度よりも遅くなるように構成されており、
第二貯水空間の水が第二排水部から排出される速度は、第一貯水空間の水が第一側壁貫通孔を通って第二貯水空間へ流出する速度よりも遅くなるように構成される貯水構造。
【請求項２】
植栽を行う植栽部を更に備えており、
集水部は、植栽部及び貯水部の上方に配置されると共に、植栽部における植栽を行う領域を上方から覆うように構成される請求項１に記載の貯水構造。
【請求項３】
前記第一側壁貫通孔は、上下方向に延びるように形成される請求項１又は２に記載の貯水構造。
【請求項４】
前記集水部で収集される水から固形物を分離する固液分離部を更に備えており、
前記第一側壁部は、集水部で収集される水を第一貯水空間へ流入させる側壁開口部を備えており、
前記固液分離部は、側壁開口部を覆うように配置される請求項１乃至３の何れか一項に記載の貯水構造。
【請求項５】
前記第一貯水部は、第二貯水部に対して着脱可能に構成される請求項１乃至４の何れか一項に記載の貯水構造。
【請求項６】
前記第一貯水部は、第一貯水空間の水を透過させると共に水から固形物を分離するフィルター部材を第一排水部に備える請求項１乃至５の何れか一項に記載の貯水構造。
【請求項７】
請求項１乃至６の何れか一項に記載の貯水構造が水平方向に複数配列して形成される貯水構造集合形態。
【手続補正２】
【補正対象書類名】明細書
【補正対象項目名】０００６
【補正方法】変更
【補正の内容】
【０００６】
本発明に係る貯水構造は、接触した水を所定方向へ集める集水部と、該集水部で集められた水を貯留する貯水部とを備える貯水構造であって、前記集水部は、集水部を上下方向に貫通するように形成された集水貫通孔と、該集水貫通孔から集水部の外側へ向かって集水貫通孔から離れるに従って集水貫通孔よりも高さが高くなるように形成された集水傾斜部とを備えると共に、貯水部の上方に配置されており、前記貯水部は、集水部で集められた水が流入して貯留される第一貯水空間を形成する第一貯水部と、該第一貯水空間から流出する水を貯留する第二貯水空間を形成する第二貯水部と、第一貯水空間の水を第一貯水空間の外へ排出する第一排水部と、第二貯水空間の水を第二貯水空間の外へ排出する第二排水部とを備えており、前記第一貯水部は、上下方向に延びる筒状に形成されて第一貯水空間が内側に形成されると共に該第一貯水空間を上方へ開放する側壁開口部を上端部に備えた第一側壁部と、該第一側壁部の下端側に形成された第一底部と、第一側壁部を貫通すると共に第一貯水空間と第二貯水空間とを連通させる第一側壁貫通孔とを備え、且つ、該第一側壁貫通孔よりも下方の位置に第一排水部を備えており、前記第二貯水部は、上下方向に延びる筒状に形成されて第二貯水空間が内側に形成される第二側壁部と、該第二側壁部の下端側に形成されると共に第一底部よりも面積が広い第二底部とを備えており、第二側壁部の内側に第一側壁貫通孔が配置されており、上下方向に沿って集水部を見た際に集水貫通孔の内側に第一貯水部の側壁開口部が位置し、集水貫通孔、及び、側壁開口部を介して第一貯水空間に水が流入するように構成されており、第一貯水空間の水が第一排水部から排出される速度は、第一貯水空間の水が第一側壁貫通孔を通って第二貯水空間へ流出する速度よりも遅くなるように構成されており、第二貯水空間の水が第二排水部から排出される速度は、第一貯水空間の水が第一側壁貫通孔を通って第二貯水空間へ流出する速度よりも遅くなるように構成される。